(57)【要約】【課題】着用者に対する装着性を改善した男性用体液処理用品を提供する。【解決手段】  着用者の身体に装着された状態で、前記着用者のペニスを挿入するためのペニス挿入口を有するペニス格納部と、このペニス格納部の左右両側において前記ペニス格納部に連通する吸収部とを備え、前記ペニス格納部から前記吸収部への体液の移動が可能であり、且つ前記ペニス格納部および前記吸収部から体液が外部に漏れ出さないように、前記ペニス格納部および前記吸収部が一体化して本体として構成されている男性用体液処理用品において、前記本体の前記ペニス挿入口の近傍に、前記ペニス格納部に挿入されたペニスが前記ペニス挿入口に対して所定の位置関係を維持するように、前記ペニスを固定するための緊締手段を備え、前記ペニス格納部に対する前記ペニスの脱出あるいは位置ずれを防止できるように構成されている。【選択図】図１
2006014993.tif 000002
【特許請求の範囲】
【請求項１】
着用者の身体に装着された状態で、前記着用者のペニスを挿入するためのペニス挿入口を有するペニス格納部と、このペニス格納部の左右両側において前記ペニス格納部に連通する吸収部とを備え、前記ペニス格納部から前記吸収部への体液の移動が可能であり、且つ前記ペニス格納部および前記吸収部から体液が外部に漏れ出さないように、前記ペニス格納部および前記吸収部が一体化して本体として構成されている男性用体液処理用品において、
前記本体の前記ペニス挿入口の近傍に、前記ペニス格納部に挿入されたペニスが前記ペニス挿入口に対して所定の位置関係を維持するように、前記ペニスを固定するための緊締手段を備え、前記ペニス格納部に対する前記ペニスの脱出あるいは位置ずれを防止できるように構成されていることを特徴とする男性用体液処理用品。
【請求項２】
前記緊締手段が、前記ペニス挿入口の左右両側に設けられた緊締バンドである請求項１に記載の男性用体液処理用品。
【請求項３】
前記緊締手段が、前記ペニス挿入口の左右両側にそれぞれ取り付けられた２本の緊締バンドである請求項１に記載の男性用体液処理用品。
【請求項４】
前記本体が、前記ペニス挿入口の近傍に開口を有する前袋を備えている請求項１〜３のいずれかに記載の男性用体液処理用品。
【請求項５】
前記緊締バンドの一方の端部が前記前袋に固定されている請求項４に記載の男性用体液処理用品。
【請求項６】
前記緊締バンドの自由端側に接合部が設けられ、前記接合部を前記本体に接合することにより前記本体の保持がなされるように構成されている請求項１〜５のいずれかに記載の男性用体液処理用品。
【請求項７】
前記接合部が粘着剤である請求項６に記載の男性用体液処理用品。
【請求項８】
前記接合部がフックである請求項６に記載の男性用体液処理用品。
【請求項９】
前記本体の表面が、前記フックと係合するループ機能を持つ不織布によって構成されている請求項８に記載の男性用体液処理用品。
【請求項１０】
前記緊締バンドが、その長さ方向に伸縮性を有する素材で構成されている請求項１〜９のいずれかに記載の男性用体液処理用品。
【請求項１１】
前記緊締バンドの少なくとも一部が発泡素材で構成されている請求項１〜１０のいずれかに記載の男性用体液処理用品。
【発明の詳細な説明】
【技術分野】
【０００１】
本発明は、ペニス格納部と吸収部とを備えた男性用体液処理用品に関する。さらに詳しくは、本発明は、ペニス格納部と、このペニス格納部の左右両側に設けられた吸収部とを備え、ペニス格納部は唯一の開口部としてペニス挿入口をもち、それ以外はカプセル状に密閉一体化されている男性用体液処理用品に関する。
【背景技術】
【０００２】
従来の吸収体物品、例えばおむつ、大人用おむつ、女性用品、女性用失禁用品等は、ナプキン形状であれ、テープ型形状であれ、あるいはパンツ型形状を持つものであれ、共通している構造は、液透過性トップシートと、液不透過性のバックシートとの間に、ＳＡＰとパルプを混合した吸収体を介在させるという基本構造を持っている。
【０００３】
これらの吸収体製品のうち、男性用体液処理用品は、人体の構造上の理由から、ペニスを通じての体液排出形態を採らざるを得ないため、その特徴に適した構造を有していることが必要とされる。このような男性用体液処理用品として、従来から、男性ケアポケットを形成する吸収体物品（特許文献１）、あるいはカンガルーの腹袋のように吸収体を格納する前袋を持っているもの（特許文献２）等が既に公開されている。
【０００４】
また本発明者らは、これらの公知技術にさらに改良を加えた新しいコンセプトを持つ吸収体物品で、カプセル形状を持つ超コンパクトな男性用体液処理用品を提案した（特許文献３、４、５）。
【特許文献１】特開平１１−１７２５０２号公報
【特許文献２】特開２００４−６５８５７号公報
【特許文献３】ＰＣＴ／ＪＰ／２０４−００９９１号公報
【特許文献４】特願２００４−１２８４２８号
【特許文献５】特願２００４−１４４４１号
【発明の開示】
【発明が解決しようとする課題】
【０００５】
本発明が解決しようとする問題点は、従来の男性用体液処理用品では、吸収スピ一ドや吸収能力が十分でなく、したがって軽失禁状態の排出には辛うじて対応できても、乳児による通常の排泄や大人の重度失禁の排泄には対応することができない、ということである。さらに従来の男性用体液処理用品では、体液の受容、移送、吸収が同一の吸収体の存在サイトで行われるため、吸収体全体が尿を含んだ状態で体表面に接してしまうことが避けられない、という大きな問題があった。これにより男性用体液処理用品内では湿度、温度が上がり、極めて不決な環境を現出することになる。
【０００６】
本発明の目的は、コンパクトで軽度失禁から重度失禁に至る広範囲な要求に十分対応でき、しかも常時着用してもムレやかぶれが生じるおそれが少なく、その上ほとんど臭気も生じない、というカプセルタイプの特性を維持しながら、着用者に対する装着性をさらに改善した男性用体液処理用品を提供することである。
【課題を解決するための手段】
【０００７】
本発明は、尿を受容する体液受容機能、受容した体液を吸収部までガイド、移送するガイド機能、そして尿をトラップして吸収する機能の３つの機能を有する体液処理用品であって、その中でも特に男性用に特化した構成を備えた男性用体液処理用品である。
【０００８】
すなわち本発明の男性用体液処理用品は、着用者の身体に装着された状態で、前記着用者のペニスを挿入するためのペニス挿入口を有するペニス格納部と、このペニス格納部の左右両側において前記ペニス格納部に連通する吸収部とを備え、前記ペニス格納部から前記吸収部への体液の移動が可能であり、且つ前記ペニス格納部および前記吸収部から体液が外部に漏れ出さないように、前記ペニス格納部および前記吸収部が一体化して本体として構成されている男性用体液処理用品において、
前記本体の前記ペニス挿入口の近傍に、前記ペニス格納部に挿入されたペニスが前記ペニス挿入口に対して所定の位置関係を維持するように、前記ペニスを固定するための緊締手段を備え、前記ペニス格納部に対する前記ペニスの脱出あるいは位置ずれを防止できるように構成されていることを特徴とする。
【０００９】
本発明によれば、緊締バンドを使って、男性用体液処理用品に対してペニスの根元をしっかりと固定することが可能となり、上記のような漏れの問題を効果的に解消することができる。
【００１０】
緊締バンドは、一般的には、本体のペニス挿入口の左右両側に設けることが望ましいが、長い１本のバンドをペニス挿入口の左右いずれか一方の側のみに設けて、この緊締バンドをペニスに巻き付けてもよい。
【００１１】
本発明において好ましい緊締バンドは、帯状、テープ状、紐状、チューブ状等の様々な形状をとることができる。また、緊締バンドを構成する素材としては、繊維束、木綿糸、不織布等の中から自由に選択することができるが、伸縮性を持つフィルム、ゴムチューブ、あるいはポリウレタン、ＰＥ、ＰＰ等のクッション性のある発泡フォーム類を使用することが好ましい場合もある。さらに、ゴム糸、あるいはポリウレタンフィラメント束などの弾性もしくはクッション性を持つ素材を利用することによって、より確実に、しかも人体に優しく緊締することができる。
【発明の効果】
【００１２】
本発明の男性用体液処理用品は、尿排出口に密着して吸収される構造であるため、液が排出ロ以外の部位には接触しないので体表面を濡らすことがなく、このため、いわゆるオムツかぶれのような障害を生じることがない。 また排泄された体液は、密閉状態でＳＡＰ粒子によって吸収され、安定に保持されるので、臭気の発生も効果的に防止できる。このため、通常の生活を送ることが可能であるが、失禁のみの問題で社会生活に支障をきたしている人にとってきわめて有効なものであり、社会問題の解決に寄与するところが大である。
【発明を実施するための最良の形態】
【００１３】
以下に本発明の好ましい形態について説明する。
【００１４】
図１は、本発明の男性用体液処理用品の一例を模式的に示す、前面側、すなわち着用者の身体に対面する側からみた平面図、図２に背面側から見た平面図、図３は図１のＡ−Ａ’線における断面図である。
【００１５】
図１〜図３に示す本発明の男性用体液処理用品は、直立した着用者の所定の位置に装着された状態を正面から見たものとして、略逆Ｖ字型の平面形状を有し、中央部のペニス格納部１１と、その両側に位置する２つの吸収部１２および１３を備えた本体１０と、この本体１０の上端部近傍に取付けられた緊締手段２０から構成されている。
【００１６】
本体１０は、図３から明らかなように、液体不透過性シートで構成された液密な袋体の形態のもので、ペニス格納部１１から各吸収部１２，１３への体液の移動が可能であり、かつペニス格納部１１および各吸収部１２，１３は体液が外部に漏れ出さないように一体に構成されている。また本体１０の前面側には、適当な形状、この例では縦長の長楕円形の開口すなわちペニス挿入口１４が形成されている。一方、本体１０の背面側には、必要に応じて、上下方向に延びるマチ状のひだ１５が、本体１０の上端から下端に達する長さで設けられ、左右の吸収部１２，１３の内部には、それぞれ吸収体１６が収容されている。
【００１７】
本体１０の前面側上端部近傍に設けられたこの例の緊締手段２０を拡大して図４に示す。この緊締手段２０は、例えば不織布シートからなるシート状部材に、その中央部上端から下方に向けて延びる細長いスリットを設けることにより２本の緊締バンド２１を形成したもので、スリットの存在しない固定部２３で、本体１０の前面に、ペニス挿入口１４を塞がないような部位で、接着剤等により固定されている。また各緊締バンド２１の先端部分には、必要に応じて、感圧性接着剤を塗布することにより形成した粘着層、あるいはメカニカルファスナーとしてポピュラーなフック・ループ連結部のような接合部２２が設けられている。
【００１８】
このように構成された本発明の男性用体液処理用品は、着用者の局部に配置し、まずペニスをペニス挿入口１４を通して本体１０のペニス格納部１１内に挿入し、ついで本体１０に設けられた緊締手段２０の２本の緊締バンド２１を用いてペニスを緊締することにより適切に装着される。
【００１９】
図５（Ａ）および（Ｂ）は、緊締手段２０の緊締バンド２１でペニスＰを緊締する例を示している。この例では、本体１０のペニス格納部１１内に挿入されたペニスＰに対して、その両側に位置している２本の緊締バンド２１をペニスＰの上方で互いに交差させ、各緊締バンド２１の先端部に設けられている接合部２２を本体１０の適当な位置に固定することにより緊締が行われる。
【００２０】
あるいは、図６（Ａ）および（Ｂ）に示すように、２本の緊締バンド２１をペニスＰの上方で互いに結び合わせることにより所望の緊締を行うことも可能である。この場合には、各緊締バンド２１の先端部の粘着部２２を省略することが可能である。
【００２１】
また図７（Ａ）および（Ｂ）の例では、２本の緊締バンド２１は、ペニスＰの上方で相互に二重にクロスされ、各々の先端の接合部２２を本体１０の背面側に回わし、その位置で接合部２２を本体１０の適当な位置に固定することで所望の緊締が行われるようになっている。これによって、よりペニスがはずれることが少なくなる。
【００２２】
図５〜図７に示したような緊締バンド２１による緊締を行うことにより、ペニスＰは、本体１０のペニス挿入口１４内で所定の位置に確実に保持され、不用意に移動したり抜け出たりするという不測の事態を回避することができる。
【００２３】
図８は、図４に示した緊締手段２０を上下逆にした状態で、本体１０に固定部２３で固定した例を示している。なお図８において、図４に示したものと同一もしくは同等の部分は同一の符号で示し、その詳細な説明を省略する。この場合には、緊締バンド２１は、ペニス挿入口１４内に挿入されたペニスＰの基部を下方から緊締することになる以外、図４について説明したのと同様にして緊締が行われる。
【００２４】
図９は、本発明の男性用体液処理用品に適用可能な緊締手段２０の他の例を示している。この例では、緊締バンド２１は相互に独立した部材として、ペニス挿入口１４の両側に配置され、その一端部の固定部２３で本体１０に固定されている。この場合にも、図４以下に示した例と同様の緊締が行われるのは明らかであろう。
【００２５】
また図１０は、図９の構成において、各緊締バンド２１を構成する素材として、ＳＢ、ＳＭＳ等の不織布に、その長さ方向に配置された複数本の弾性糸（例えばポリウレタンフィラメント）を結合した構成のものが使用されている。このような素材からなる緊締バンド２１は、その優れた伸縮性のために、さらに良好なペニス緊締効果が得られる。
【００２６】
図１１〜図１３は、本発明の男性用体液処理用品に適用可能な緊締手段のさらに他のいくつかの例を示している。まず図１１の例では、本体１０に設けられたペニス挿入口１４の下端部の位置に、横方向に延びる帯状体を、その長さ方向の中央部の固定部２３で本体１０に固定し、その両側に位置する部分を２本の緊締バンド２１としたもので、この緊締バンド２１に、感圧接着剤層等からなる接合部２２を設けた構成を有する。この構成の緊締手段２０は、ペニスＰをペニス挿入口１４に挿入した状態で、緊締バンド２１の両端部を上方に引き上げ、ペニスＰが適度に締め付けられた状態で、緊締バンド２１の両端に設けられている接合部２４を本体（図示せず）の適当な部位に接着させることで、所望の緊締が行われるようになっている。
【００２７】
また図１２の例では、やや縦長の長方形のシートをその中央部および下縁部のほぼ逆Ｔ字型の領域を、本体１０に固定する固定部２３とし、この固定部２３の中央部に、本体１０に設けたペニス挿入口１４に合致する開口を形成するとともに、この開口の左右両側の部分を切断して切り離し、２つの緊締バンド２１を形成した構成を有する。各緊締バンド２１の先端部分に、必要に応じて接合部２２が設けられる。
【００２８】
さらに図１３は、やや横長の長方形のシートの中央部に、ペニス挿入口１４と合致する開口を設け、この開口の左右両側に位置する部分で、一端のみで他の部分に連なる帯状の切り離し部分を形成してこれを緊締バンド２１とした形態を示し、緊締バンド２１以外の部分は、本体１０に固定される固定部２３となる。各緊締バンド２１の先端部分に、必要に応じて接合部２２が設けられるのは、図１２の場合と同様である。
【００２９】
このように構成された緊締手段２０を備えた男性用体液処理用品においては、着用者が屈んだり、激しい動きをしたりした時にも、ペニス挿入口１４から挿入されたペニスＰが所定の位置から外れるという、この種の用品にとって最悪の事態を生じる危険性は大幅に減少し、安心して使用することが可能になる。
【００３０】
本発明の男性用体液処理用品の本体に必要とされる要素は、ペニス挿入口を設けたペニス格納部および吸収体を収容している吸収部を有することのみであり、この要件を備えているものであれば、本体は種々の形態を採り得る。以下に、本発明の男性用体液処理用品に適用される種々の本体と、これに設けられる緊締手段のいくつかの変形例を示す。
【００３１】
図１４〜図１６に、本発明の男性用体液処理用品に適用される他の形態の本体と緊締バンドの配置状態を示す。図１４は正面図、図１５は背面図、図１６は図１４のＢ−Ｂ’線における断面図である。また、図中に記載した寸法値は、好適なサイズを例示するものであり、本発明はこれに限定されない。
【００３２】
図１４〜図１６に示す男性用体液処理用品も、前述の例と同様に、ペニス格納部１１１、およびそれぞれに吸収体１１６を収容している２つの吸収部１１２，１１３を備えた本体１１０と、これに取り付けられた緊締手段１２０とを具備する。この例で用いられた本体１１０は、図１〜図３に示したものと実質的に同等のものであるが、ペニス格納部１１１の内部にも吸収体１１１ａが収容されている点で相違する。なお、緊締手段１２０の構成も図１〜３に示したものと実質的には同等であるが、１２２のフック部分を長くし、面積も大きくしている。このようにフック部分を長くすることによって、図５に示したような緊締状態を形成した場合に、本体への固定部位に至る部分を幅広い範囲で固定することによって、着用時の挿入口近傍の形状保持性を改良することができる。
【００３３】
この例の男性用体液処理用品において、ペニス格納部１１１は、図１〜図３に示したものと比較して内容積が大きく、折り返された左右一対のひだ１１５の内部に、それぞれ吸収体１１１ａが収容されているとともに、両吸収体１１１ａ間を連結するように、液体ガイド層１１１ｂが設けられている。また、本体１１０の、ペニス挿入口１１４と対向する側の表面に、必要に応じて固定用の粘着テープ１３５が取り付けられている。
【００３４】
この図１４〜図１６の例の男性用体液処理用品の利点は、吸収部１１２，１１３に設けられた吸収体１１６に加えて、ペニス格納部１１１にも吸収体１１１ａが設けられているとともに、その両者を連結して液体の移動を容易にする液体ガイド層１１１ｂが設けられているので、ペニス格納部１１１内に短時間に大量の体液が供給された場合は、ガイド層を通じて液は左右のメイン吸収部１１６にガイド・供給されるため、ペニス格納部内に液が滞留することはない。
【００３５】
図１７は、さらに異なる形態の本体を備えた本発明の男性用体液処理用品の正面側の平面図、図１８はその背面側の平面図を示している。この例に用いられた本体２１０は、上縁および下縁が半円状をなすようにカットされたペニス格納部２１１と、その両側に連接されたほぼ長方形の吸収部２１２，２１３とを備え、吸収部２１２および２１３内に、それぞれ吸収体２１６が収容されている。またペニス格納部２１１の正面側にはペニス挿入口２１４が形成され、このペニス挿入口２１４の両側に固定された２本の緊締バンド２２１により、緊締手段２２０が構成されている。
【００３６】
緊締バンド２２１は、各々の上端部で本体２１０に固定され、この固定部から下方に向かって延びているが、前述の例のように、上方に延びるように構成してもよい。また装着時に緊締バンド２２１をその先端部で本体２１０の適当な箇所に固定する手段として、各緊締バンド２２１の先端部に接合部２２２が設けられており、この接合部２２２との接合をより確実にするために、本体２１０の背面側に粘着層２１７を設けてもよい。
【００３７】
以上の各例に用いられた本体において、着用者の所定の位置に装着された状態で、ペニス格納部の両側に設けられた吸収部は、ペニス格納部よりも低い位置に置かれることになる。したがってペニス格納部に供給された体液は、自重で下方の吸収部に自然流下するので、体液がペニス格納部内に滞留し、ひいては液漏れを引き起こすというような不都合が生じうるのを効果的に防止することができる。もちろん、体液の移動を円滑に行い得るような構造であれば、本体が上記のような条件を備えていることは必ずしも必要ではない。
【００３８】
図１９および図２０は、本発明の男性用体液処理用品のさらに他の形態を示している。この例で用いられた本体３１０は、横長の長方形の袋体を、その中央部で、一方の長辺が他方の長辺よりも短くなるように折り曲げて、中央部に三角形の二重部分を形成し、向かい合った面同士を接着した形態のもので、二重になった部分がペニス格納部３１１を構成し、その一部を接着せずに残しておくことで形成された開口がペニス挿入口３１４となる。またペニス格納部３１１の両側には吸収部３１２、３１３が形成され、その内部には吸収体３１６が収容されるようになっている。
【００３９】
この本体３１０に設けられる緊締手段として、図９に示したものと同等の緊締手段３２０が適用されていて、これは２つの緊締バンド３２１を備え、その先端部に設けられた接合部３２２は、例えばメカニカルフックからなり、このメカニカルフックは、本体３１０の背面側に設けられたループゾーン３１７と係合することで、ペニス挿入口３１４に挿入されたペニスを緊締バンド３２１で適切に保持する。
【００４０】
このような構成の本体においても、着用状態では、ペニス格納部３１１よりも下方に吸収部３１２、３１３が位置するという利点が保持される。
【００４１】
また図２１は、図１９，図２０に示したものと同様、ペニス挿入口（図示せず）を有するペニス格納部４１１（背面側にあり図示されない）、２つの吸収部４１２，４１３を備えた構成を有する本体４１０の前面、すなわち着用状態で着用者の身体に対面する側に、着用者のペニス基部、および（または）睾丸部を収容し得る大きさの前袋４５０を設けた例を示している。緊締手段４２０の緊締バンド４２１は、この前袋４５０の開口を通して外部に引き出され、適当な箇所、例えば本体４１０の背面側に設けたループのような固定手段（図示せず）に固定される。この前袋４５０として、その中央部にタック４５１をとってその容積を大きくしたものが取り付けられている。
【００４２】
図２１の例では、緊締バンド４２１は本体４５０に取り付けられているが、図２２に示した他の形態例におけるように、本体５１０の前面に設けられた前袋５５０にペニス挿入口５１４を形成し、このペニス挿入口５２１の近傍の位置で前袋５５０に、緊締手段５２０の緊締バンド５２１を取り付けるように構成してもよい。またこの前袋５５０は、図２３に示すように、その中央部にタック５５１をとってその容積を大きくしたものであってもよい。なお、図２２および図２３において、符号５１２，５１３は吸収部、５１４はペニス挿入口、５２２は各緊締バンド５２１に設けられた接合部を示す。
【００４３】
さらに図２４に示したさらに他の構成例においては、図１９に示したものと同様、ペニス格納部の両側に吸収部６１２，６１３を設けた構成を有する本体６１０に、前袋の機能と緊締手段の機能とを兼ね備えた複合機能体６５０が設けられている。この複合機能体６５０は、着用者の所定の位置に装着された状態で、本体６１０と着用者との間に位置して、本体６１０と着用者との間から体液が漏れだしても、これが外部には流出しないように受け止める機能を有するとともに、その上端部に形成された緊締バンド６２１は、接合部６２２を利用して、本体６１０のペニス挿入口６１４に挿入されているペニスをその下方から支えるとともに、横方向にも左右からその移動を規制するように機能する。
【００４４】
このような機能を得るためには、複合機能体６５０は、それ自体が不織布／ＰＥフィルム複合体のような防漏性を持つと同時に表面感触に優れた素材で構成されることが望ましく、また内部に吸収体６５１を設けておくことが望ましい場合もある。
【産業上の利用可能性】
【００４５】
本発明は上記のとおりの構成および効果を有するものであり、産業上の利用価値は極めて高い。
【図面の簡単な説明】
【００４６】
【図１】本発明の一実施例による男性用体液処理用品を正面側から見たものとして示す平面図である。
【図２】図１の男性用体液処理用品を背面側から見たものとして示す平面図である。
【図３】図１のＡ−Ａ’に沿った断面図である。
【図４】図１および図２の男性用体液処理用品に設けられた緊締手段を拡大して示す平面図である。
【図５】（Ａ）は、図１および図２に示した緊締手段を拡大して示す説明図、（Ｂ）はこの緊締手段を用いてペニスを所定の位置に固定する態様例を示す説明図である。
【図６】（Ａ）は、図１および図２に示した緊締手段を拡大して示す説明図、（Ｂ）はこの緊締手段を用いてペニスを所定の位置に固定する態様例を示す説明図である。
【図７】本発明の他の形態の緊締手段を用いてペニスを所定の位置に固定する他の態様例を示す説明図で、（Ａ）は正面から、（Ｂ）は背面から見た状態を示す。
【図８】本発明の男性用体液処理用品に適用される他の形態の緊締手段を示す平面図である。
【図９】本発明の男性用体液処理用品に適用可能な緊締手段の他の例を示す平面図である。
【図１０】本発明の男性用体液処理用品の緊締手段として適用される、弾性体を備えた緊締バンドの例を示す平面図である。
【図１１】本発明の男性用体液処理用品に適用される、他の形態の緊締手段を示す平面図である。
【図１２】本発明の男性用体液処理用品に適用される、さらに他の形態の緊締手段を示す平面図である。
【図１３】本発明の男性用体液処理用品に適用される、別の形態の緊締手段を示す平面図である。
【図１４】本発明の他の実施例による男性用体液処理用品を正面側から見たものとして示す平面図である。
【図１５】図１４男性用体液処理用品を背面側から見たものとして示す平面図である。
【図１６】図１４のＢ−Ｂ’に沿った断面図である。
【図１７】本発明のさらに他の実施例による男性用体液処理用品を正面側から見たものとして示す平面図である。
【図１８】図１７に示した男性用体液処理用品を背面側から見たものとして示す平面図である。
【図１９】本発明に適用される他の形態の本体を備えた男性用体液処理用品の変形例を概略的に示す平面図である。
【図２０】図１９に示した男性用体液処理用品を背面側から見たものとして示す平面図である。
【図２１】本発明に適用される他の形態の本体を備えた男性用体液処理用品の他の変形例を概略的に示す平面図である。
【図２２】本発明に適用される他の形態の本体を備えた男性用体液処理用品のさらに他の変形例を概略的に示す平面図である。
【図２３】本発明に適用される他の形態の本体を備えた男性用体液処理用品のさらに異なる変形例を概略的に示す平面図である。
【図２４】本発明に適用される他の形態の本体を備えた男性用体液処理用品のさらに別の変形例を概略的に示す平面図である。
【符号の説明】
【００４７】
１０    本体
１１    ペニス格納部
１２    吸収部
１３    吸収部
１４    ペニス挿入口
１５    ひだ
１６    吸収体
２０    緊締手段
２１    緊締バンド
２２    接合部
２３    固定部
１１０    本体
１１１    ペニス格納部
１１１ａ    吸収体
１１１ｂ    液体ガイド層
１１２    吸収部
１１３    吸収部
１１４    ペニス挿入口
１１５    ひだ
１１６    吸収体
１２０    緊締手段
２１０    本体
２１１    ペニス格納部
２１２    吸収部
２１３    吸収部
２１４    ペニス挿入口
２１６    吸収体
２１７    粘着層
２２１    緊締バンド
２２２    接合部
３１０    本体
３１１    ペニス格納部
３１２    吸収部
３１３    吸収部
３１４    ペニス挿入口
３１６    吸収体
３１７    ループ
３２０    緊締手段
３２１    緊締バンド
３２２    接合部
４１０    本体
４１１    ペニス格納部
４１２    吸収部
４１３    吸収部
４２０    緊締手段
４２１    緊締バンド
４２２    接合部
４５０    前袋
４５１    タック
５１０    本体
６１０    本体
６１２    吸収部
６１３    吸収部
６１４    ペニス挿入口
６２２    接合部
６５０    複合機能体
６５１    吸収体
【図１】
2006014993.tif 000003
【図２】
2006014993.tif 000004
【図３】
2006014993.tif 000005
【図４】
2006014993.tif 000006
【図５】
2006014993.tif 000007
【図６】
2006014993.tif 000008
【図７】
2006014993.tif 000009
【図８】
2006014993.tif 000010
【図９】
2006014993.tif 000011
【図１０】
2006014993.tif 000012
【図１１】
2006014993.tif 000013
【図１２】
2006014993.tif 000014
【図１３】
2006014993.tif 000015
【図１４】
2006014993.tif 000016
【図１５】
2006014993.tif 000017
【図１６】
2006014993.tif 000018
【図１７】
2006014993.tif 000019
【図１８】
2006014993.tif 000020
【図１９】
2006014993.tif 000021
【図２０】
2006014993.tif 000022
【図２１】
2006014993.tif 000023
【図２２】
2006014993.tif 000024
【図２３】
2006014993.tif 000025
【図２４】
2006014993.tif 000026